(57)【要約】【課題】血管内の所定の部位に塞栓装置を送達するためのカテーテルを用いた配置システムを提供すること。【解決手段】人体の血管内の所定部位に塞栓装置を配置するための医療装置において、デリバリーカテーテルと、このカテーテルの内腔内にスライド可能に配置された、内腔を有する可撓性プッシャー部材を具備する。塞栓装置は、プッシャー部材の遠位端部に取り付けられ、かつ塞栓装置の近位端部の保持リングを貫通する係合部材を含む機械式かみ合わせ機構によってデリバリーカテーテル内に保持されている。分離部材が、係合部材の遠位端部の開口を貫通して塞栓装置をプッシャー部材にロックしている。塞栓装置が血管内の所定の部位まで前進すると、分離部材が開口から引き戻されて、塞栓装置が治療部位に解放される。【選択図】図１
2006334407.tif 000002
【特許請求の範囲】
【請求項１】
血管内の所定の部位に塞栓装置を配置する際に使用するための血管閉塞塞栓装置配置システムにおいて、
細長い可撓性の配置カテーテルであって、当該配置カテーテルの内部を通る内腔、近位端部、および遠位端部を有する、配置カテーテルと、
前記配置カテーテルの前記内腔内にスライド可能に配置されている細長いプッシャー部材であって、当該プッシャー部材の内部を通る内腔、近位端部、および遠位端部を備える、プッシャー部材と、
近位端部に保持リングを有する塞栓装置と、
前記プッシャー部材の前記遠位端部に固着された係合部材であって、その係合部材の遠位端部を開口が貫通しており、前記係合部材が前記保持リングを貫通している、係合部材と、
前記プッシャー部材の前記近位端部の近位側の位置から前記プッシャー部材の前記内腔を通り、前記係合部材の前記開口を貫通している細長い分離部材であって、前記分離部材が近位側に引き戻されると、前記分離部材の前記遠位端部が前記係合部材の前記開口から引き戻されて前記塞栓装置を解放するように構成されている、細長い分離部材と、
を具備する、血管閉塞塞栓装置配置システム。
【請求項２】
請求項１に記載の血管閉塞塞栓装置配置システムにおいて、
前記係合部材が、第１の脚および第２の脚を形成するためにＬ型の構造であり、前記第１の脚が前記プッシャー部材に取り付けられ、前記第２の脚が前記保持リングを貫通している、血管閉塞塞栓装置配置システム。
【請求項３】
請求項２に記載の血管閉塞塞栓装置配置システムにおいて、
前記分離部材が前記開口内を貫通すると、前記塞栓装置の前記保持リングが、前記分離部材が前記開口から引き戻されるまで前記係合部材にかみ合っているように、前記開口が、前記第２の脚の前記遠位端部を貫通している、血管閉塞塞栓装置配置システム。
【請求項４】
請求項３に記載の血管閉塞塞栓装置配置システムにおいて、
前記開口の中心軸が、前記保持リングの中心軸に対して実質的に直角に延びている血管閉塞塞栓装置配置システム。
【請求項５】
請求項４に記載の血管閉塞塞栓装置配置システムにおいて、
前記塞栓装置が塞栓コイルの形態である、血管閉塞塞栓装置配置システム。
【請求項６】
請求項５に記載の血管閉塞塞栓装置配置システムにおいて、
前記塞栓装置が螺旋状に巻かれた塞栓コイルの形態である、血管閉塞塞栓装置配置システム。
【請求項７】
請求項６に記載の血管閉塞塞栓装置配置システムにおいて、
前記保持リングの前記中心軸が、前記螺旋状に巻かれた塞栓コイルの中心軸に対して実質的に直角に延びている、血管閉塞塞栓装置配置システム。
【請求項８】
請求項７に記載の血管閉塞塞栓装置配置システムにおいて、
前記螺旋状に巻かれた塞栓コイルが複数のターンから構成されており、前記複数のターンの１つが、他のターンの中心軸に対して実質的に直角に延びて前記保持リングを形成している、血管閉塞塞栓装置配置システム。
【請求項９】
請求項２に記載の血管閉塞塞栓装置配置システムにおいて、
保持クランプであって、その内部を貫通する内腔を備え、前記プッシャー部材の前記近位端部に取り付けられた、保持クランプを具備し、
前記クランプが解除されて前記分離部材が前記係合部材の前記開口から引き戻されるに先立って前記分離部材が固定位置にクランプされうるように、前記分離部材が、前記クランプの近位側の位置から前記クランプの前記内腔を貫通している、
血管閉塞塞栓装置配置システム。
【請求項１０】
血管内の所定の部位に塞栓装置を配置する際に使用するための血管閉塞塞栓装置配置システムにおいて、
細長い可撓性の配置カテーテルであって、当該配置カテーテルの内部を通る内腔、近位端部、および遠位端部を有する、配置カテーテルと、
近位端部および遠位端部を備え、前記配置カテーテルの前記内腔内にスライド可能に配置されている細長いプッシャー部材と、
近位端部に保持リングを有する塞栓装置と、
前記プッシャー部材の前記遠位端部に固着された係合部材であって、その係合部材の遠位端部を開口が貫通しており、前記係合部材が、前記塞栓装置の前記保持リングを貫通している、前記係合部材と、
前記配置カテーテルの近位側の位置から前記カテーテルの前記内腔を通り、前記係合部材の前記開口を貫通している細長い分離部材であって、前記分離部材が近位側に引き戻されると、前記分離部材の前記遠位端部が前記係合部材の前記開口から引き戻されて前記塞栓装置を解放するように構成されている、前記細長い分離部材と、
を具備する、血管閉塞塞栓装置配置システム。
【発明の詳細な説明】
【開示の内容】
【０００１】
〔発明の分野〕
本発明は、人体の血管内の所定部位に塞栓装置を配置するための医療装置に関し、詳細には、塞栓装置を送達するためのカテーテルを用いた配置システムに関する。この装置は、塞栓コイルなどの塞栓装置を人体の脳の蛇行した脈管構造を前進させてその血管内または動脈瘤内の選択された部位に送るのに特に適している。
【０００２】
〔従来技術の考察〕
長年に亘って、人体の血管内への様々な装置の配置に可撓性カテーテルが用いられてきた。このような装置の例として、膨張バルーン、放射線不透過性流体、液体薬物、およびバルーンや塞栓コイルなどの様々なタイプの閉塞装置を挙げることができる。このようなカテーテルを用いた装置の例は、米国特許第５，１０８，４０７号（名称：「塞栓コイルの配置の方法および装置（Method and Apparatus for Placement of an Embolic Coil）」）および同第５，１２２，１３６号（名称：「動脈、静脈、動脈瘤、血管奇形、および動静脈瘻に血栓を電気的に形成するための血管内で電解的に分離可能なガイドワイヤ先端部（Endovascular Electrolytically Detachable Guidewire Tip For The Electroformation Of Thrombus In Arteries, Veins, Aneurysms, Vascular Malformations And Arteriovenous Fistulas.）」）に開示されている。これらの特許文献は、動脈瘤を治療するため、または特定の位置で血管を閉塞させるために、人体の血管内の事前に選択された部位に塞栓コイルを送達するためのカテーテルを用いた装置を開示している。
【０００３】
血管内に配置されるコイルは、螺旋状に巻かれたコイルの形態とすることができ、別法では、ランダムに巻かれたコイル、コイル内に巻かれたコイル、または他のこのようなコイル構造の形態にすることができる。様々なコイル構造の例は、米国特許第５，３３４，２１０号（名称：「血管閉塞組立体（Vascular Occlusion Assembly）」）および同第５，３８２，２５９号（名称：「管状の織物または編組繊維カバーが取り付けられた血管閉塞コイル（Vasoocclusion Coil with Attached Tubular Woven or Braided Fibrous Covering）」）に開示されている。塞栓コイルは、通常はプラチナ、金、タングステン、またはこれらの合金などの放射線不透過性の金属材料から形成される。いくつかのコイルを所定の部位に配置して、その部位における血栓形成を促して血管や動脈瘤内を流れる血液を遮断する場合がよくある。
【０００４】
従来は、塞栓コイルは、カテーテルの遠位端部内に配置されていた。カテーテルの遠位端部が適切に配置されたら、プッシャー部材を用いてコイルをカテーテルの遠位端部から押し出して所望の部位でコイルを解放することができる。塞栓コイルを配置するこの方法は、人体の血管内を通るコイルの動きを監視して所望の部位にコイルを配置するように蛍光透視下で行われる。
【０００５】
別の方法では、接着剤またはハンダを用いてコイルをガイドワイヤに取り付け、このガイドワイヤを血管内の事前に選択された位置にコイルを配置するために可撓性カテーテル内に配置する。コイルが所望の位置に達したら、カテーテルでコイルを所望の位置に保持し、ガイドワイヤを近位端側に引いてコイルをガイドワイヤから分離し、カテーテルから解放する。このようなコイル配置システムは、米国特許第５，２６３，９６４号（名称：「同軸牽引分離装置および方法（Coaxial Traction Detachment Apparatus and Method）」）に開示されている。
【０００６】
さらに別のコイル配置方法では、コイルの近位端部に結合するボールを保持するために遠位端部にソケットを備えたカテーテルを使用する。通常はコイルの外径よりも直径が大きいボールを、カテーテルの遠位端部の内腔内のソケットに配置し、次いで、所望の部位にコイルを配置するためにカテーテルを血管内を移動させる。所望の部位に達したら、所望の部位にコイルを解放するために、端部にピストンを備えたプッシャーワイヤをカテーテルの近位端部から遠位端側に押してソケットからボールを押し出す。このようなシステムは、米国特許第５，３５０，３９７号（名称：「軸方向分離可能なコイル組立体（Axially Detachable Embolic Coil Assembly）」）に開示されている。
【０００７】
血管内にコイルを配置する別の方法では、カテーテルの遠位端部にコイルを保持するために熱剥離性接着剤を用いる。このようなシステムの１つでは、コイルをカテーテルの遠位端部から解放するために、ファイバー・オプティック・ケーブルから伝送されるレーザーエネルギーを用いて接着剤に熱を加える。このような方法は、米国特許第５，１０８，４０７号（名称：「塞栓コイルを配置する方法および装置（Method and Apparatus for Placement of an Embolic Coil）」）に開示されている。
【０００８】
さらに別のコイル配置システムは、全長に亘る内腔、および事前に選択された部位にコイルを配置するためにコイルを保持する遠位端部を有するカテーテルを含む。カテーテルの遠位端部は、カテーテルの内腔が加圧されると遠位端部が径方向に膨張してコイルを事前に選択された部位に解放できるという特徴を有する材料から形成される。このような配置システムは、米国特許第６，１１３，６２２号（名称：「塞栓コイル圧力式配置システム（Embolic Coil Hydraulic Deployment System）」）に開示されている。
【０００９】
さらに別のコイル配置システムは、コイル上のかみ合わせ機構を含む。塞栓コイル上のかみ合わせ端部が、プッシャー組立体上の同様のかみ合わせ機構に結合する。かみ合わせ機構内を通る制御ワイヤでコイルをプッシャー組立体に固定する。プッシャー組立体および塞栓コイルは、当初はカテーテルの内腔内に配置されている。配置のために塞栓コイルがカテーテルの端部から押し出されたら、制御ワイヤを引き戻してコイルをプッシャー組立体から係合解除する。このような配置システムは、米国特許第５，９２５，０５９号（名称：「分離可能な塞栓コイル組立体（Detachable Embolic Coil Assembly）」）に開示されている。
【００１０】
さらに別のコイル配置システムは、プッシャー部材の遠位端部分に取外し可能に取り付けられ、かつ連結スレッドまたは連結ファイバーで所定の位置に保持される塞栓装置を含む。連結ファイバーは、作動させるとこのファイバーを切断できるカッター部材内を通過していている。連結ファイバーが切断されると、塞栓装置が解放される。このような配置システムは、公開された米国特許出願第２００２／０１６５５６９号（名称：「機械式分離を組み込んだ血管内装置配置機構（Intravascular Device Deployment Mechanism Incorporating Mechanical Detachment）」）に開示されている。
【００１１】
さらに別のコイル配置システムは、内部を耐伸長性部材が通る塞栓装置を含む。耐伸長性部材の遠位端部は、塞栓コイルに取り付けられ、耐伸長性部材の近位端部は、接着材などの様々な手段でプッシャー部材に取り外し可能に取り付けるか、または接着または結合される連結ファイバーによってプッシャー部材に取り付け、加熱により取り外すことができる。このような配置システムは、公開された米国特許出願第２００４／００３４３６３号（名称：「耐伸長性治療装置（Stretch Resistant Therapeutic Device）」）に開示されている。
【００１２】
さらに別のコイル配置システムは、硬質の波形端部を備えたプッシャーワイヤを含む。この波形端部は、塞栓コイルに結合され、カテーテルの内腔内に配置されている。塞栓コイルは、血管内の所定の部位に達するまでカテーテル内を送られ、所定の部位に達すると、プッシャーワイヤが引き戻されて塞栓コイルが解放される。このようなシステムは、米国特許第６，２０３，５４７号（名称：「操作可能な機械式分離接合部を備えた血管閉塞装置およびその装置の使用方法（Vaso-occlusion Apparatus Having A Manipulable Mechanical Detachment Joint And A Method For Using The Apparatus）」）に開示されている。
【００１３】
耐伸長性塞栓装置またはコイルを配置するためのさらに別の塞栓装置配置システムは、デリバリーカテーテルおよび可撓性プッシャー部材を含む。塞栓装置は、係合部材の開口を貫通する分離部材を含むかみ合わせ機構によって保持される。係合部材は、塞栓装置上のリングに係合する。分離部材が開口から引き戻されると、耐伸長性塞栓装置が解放される。このような配置システムの１つが、本願の譲渡人に譲渡された同時出願の米国特許出願第１１／１４３，０５２号（名称：「機械式解放機構を備えた耐伸長性塞栓コイルデリバリーシステム（Stretch Resistant Embolic Coil Delivery System With Mechanical Release Mechanism）」）（代理人整理番号：ＣＲＤ５１９５ＵＳＮＰ０）に開示されている。
【００１４】
〔発明の概要〕
本発明は、血管内の所定部位に塞栓装置を配置する際に使用するための血管閉塞塞栓装置配置システムに関する。この血管閉塞塞栓装置配置システムは、細長い可撓性カテーテルと、そのカテーテルの内腔内にスライド可能に配置された、内腔を有する細長いプッシャー部材を含む。塞栓装置は、その近位端部に保持リングを含む。好ましくはＬ型の構造である係合部材が、プッシャー部材の遠位端部に固着され、係合部材の遠位端部を開口が貫通している。係合部材は、塞栓装置の保持リングを貫通している。加えて、この配置システムは、プッシャー部材の近位端部からプッシャー部材の内腔を通り、係合部材の開口を貫通している細長い分離部材を含む。この分離部材が近位側に引き戻されると、分離部材の遠位端部が係合部材の開口から引き戻されて塞栓装置が解放される。
【００１５】
本発明の別の態様に従えば、血管内の所定部位に塞栓装置を配置する際に使用するための配置システムを提供する。この配置システムは、細長い可撓性カテーテルと、そのカテーテルの内腔内にスライド可能に配置された細長いプッシャー部材を含む。塞栓装置は、その近位端部に保持リングを含む。好ましくはＬ型の構造である係合部材が、プッシャー部材の遠位端部に固着され、その遠位端部を開口が貫通している。係合部材は、塞栓装置の保持リングを貫通している。加えて、この配置システムは、カテーテルの近位端部からカテーテルの内腔を通り、係合部材の開口を貫通している細長い分離部材を含む。分離部材が近位側に引き戻されると、分離部材の遠位端部が係合部材の開口から引き戻されて塞栓装置が解放される。
【００１６】
本発明の別の態様に従えば、係合部材はＬ型の構造であり、一方の脚がプッシャー部材に取り付けられており、他方の脚が保持リングを貫通する。開口が、保持リングを貫通する脚を貫通しており、分離部材がこの開口を貫通している場合は、分離部材がこの開口から引き戻されるまで、塞栓装置の保持リングが係合部材にかみ合わせするように構成されている。本発明の別の態様に従えば、この開口は、保持リングの中心軸に対して実質的に直角に延在する中心軸を有する。加えて、塞栓装置は、保持リングの中心軸に対して直角に延在する中心軸を有する螺旋状に巻かれた塞栓コイルの形態である。
【００１７】
本発明のさらに別の実施形態に従えば、塞栓コイルは、複数のターンからなる螺旋状に巻かれたコイルの形態である。このターンの１つは、その中心軸が他のターンの中心軸に対して直角に延在して保持リングを形成している。
【００１８】
加えて、血管塞栓装置配置システムは、プッシャー部材の近位端部に取り付けられた保持クランプ、および分離部材を含むのが好ましい。この分離部材は、塞栓装置が解放されるに先立ってこの分離部材が固定位置にクランプされうるように、保持クランプの近位側の位置からクランプの内腔を貫通している。クランプが解除されたら、分離部材を係合部材の開口から引き戻して塞栓装置を解放することができる。
【００１９】
〔好適な実施形態の説明〕
図１は、内部を貫通する内腔１４有するシース導入器１２と、そのシース導入器１２の内腔１４内にスライド可能に配置された細長いプッシャー部材１６を含む血管閉塞塞栓装置配置システム１０の一実施形態を例示している。細長い係合部材１８が、プッシャー部材１６の内腔内にスライド可能に配置され、その遠位端部を貫通する開口２２を有する。開口２２の中心軸は、プッシャー部材１６の軸に対して概ね平行に延びている。係合部材１８は、ニチノールなどの小径の弾性ワイヤから形成されるのが好ましく、開口２２を形成している貫通孔を有する平坦な遠位端部を含む。
【００２０】
配置システム１０は、図示されているようにシース導入器１２の遠位部分に配置された螺旋状に巻かれた塞栓コイルの形態をとるのが好ましい塞栓装置２３も含む。図示されている塞栓装置は、螺旋状に巻かれたコイルとして示されているが、フィラメント、ブレード、発泡体、拡張可能なメッシュ、およびステントなどの様々な他のタイプの塞栓装置をこの配置システムを用いて送達することができ、様々な他のコイル構造もこのシステムを用いて送達することができる。塞栓装置の非外傷性先端部となるように溶接すなわちハンダのビーズ２４が、塞栓装置２３の遠位端部に形成されている。加えて、塞栓装置２３の近位端部２６が、保持リング２８の縁に取り付けられている。好ましくは、保持リング２８は、デリバリーカテーテル１２の中心軸に対して直角に延び、そして螺旋状に巻かれた塞栓コイルの中心軸に対しても直角に延びている中心軸を有する。保持リング２８を形成するある方法では、螺旋状に巻かれたコイルの１または２つのターンをそのコイルの他のターンまたは中心軸に対して単純に直角に曲げる。
【００２１】
図１、図２Ａ、および図２Ｂに例示されているように、係合部材１８は、プッシャー部材１６の中心軸に対して平行な方向に延びて保持リング２８内を貫通し、分離部材３０によって概ねＬ型の構造に拘束されている。細長い分離部材３０は、配置システム１０の近位端部からプッシャー部材の内腔を通って係合部材１８の開口２２を貫通しており、この分離部材３０が近位端側に引き戻されるときまでプッシャー部材１６に対して塞栓装置２３をかみ合わせる役割を果たす。分離部材３０が開口２２から引き戻されると、係合部材１８が、概ね真直な通常の構造に戻り、これにより保持リング２８が解放される。分離部材３０は、小径の細長いフィラメントの形態をとるのが好ましいが、ワイヤや管状構造などの他の形態も適している。分離部材３０は、ニチノールから形成するのが好ましいが、ステンレス鋼、ＰＴＦＥ、ナイロン、セラミック、またはガラス繊維などの他の金属や材料および複合材も適するであろう。
【００２２】
チューヒー・ボースト型（Tuohy-Borst type）のクランプ３２が、プッシャー部材１６の近位端部に取り付けられており、分離部材３０および係合部材１８に対して締め付けられると、クランプキャップ３４が緩められてこれらの部材に対するグリップが解除されるときまで、分離部材および係合部材１８の移動を防止する働きをする。図２Ａおよび図２Ｂは、図１に示されているように塞栓装置２３とプッシャー部材１６との間のかみ合わせ構造を例示しているが、これらの図面は、プッシャー部材１６の遠位端部がシース導入器１２またはデリバリーカテーテルの遠位端部からわずかに延出して、塞栓装置２３が露出する位置までプッシャー部材１６が移動した後の配置システムの動作を図示している。図２Ｃに図示されているように、塞栓装置２３がシース導入器１２の遠位端部から延出したら、分離部材３０を近位側に引いて分離部材を係合部材１８の開口２２から引き戻し、これにより、係合部材が塞栓装置の保持リング２８から係合解除され、事前に選択された位置で塞栓装置２３が解放される。別法では、所望に応じて、塞栓装置２３がシース導入器１２の内腔内またはデリバリーカテーテル内にあるときに、図２Ａ、図２Ｂおよび図２Ｃに図示された上記分離手順を行うことができる。
【００２３】
本発明の１つの重要な利点は、図２Ａおよび図２Ｂに示されているように塞栓装置配置システムの構造を用いて、塞栓装置を血管または動脈瘤内の所望の位置に配置できることである。塞栓装置が不適切に配置されていることが分かったら、まずプッシャー部材１６を引き戻し、次いで塞栓装置をデリバリーカテーテル内に完全に引き戻すことで、塞栓装置をその位置から引き戻して別の位置に配置したり、体外に除去することさえできる。塞栓装置がデリバリーカテーテル内に完全に引き戻されたら、カテーテルをより好ましい位置に移動させて塞栓装置を新しい位置に解放することができる。
【００２４】
図３、図３Ａおよび図３Ｂは、全体として、血管壁３８から延びた動脈瘤３６内への螺旋状に巻かれたコイルなどの塞栓装置の連続的な配置を図示している。具体的には、図３は、プッシャー部材および係合した塞栓装置がデリバリーカテーテル３５内に挿入され、螺旋塞栓コイルとして示されている塞栓装置２３を動脈瘤３６内に配置する位置まで前進した後の、図１に示されている構造と同じ血管閉塞塞栓装置配置システム１０を図示している。図３Ａは、塞栓装置２３が動脈瘤内３６に配置されているが、分離部材３０が引き戻される前の状態の図２Ａに類似した構造の配置装置を図示している。この時点で、上記したように分離部材３０を引き戻す前に、塞栓装置が不適切に配置されていることが分かったら、塞栓コイルを別の位置に配置するか或いは完全に体外に除去するために、プッシャー部材を引き戻して塞栓装置をデリバリーカテーテル３５内に戻すことができる。
【００２５】
図３Ｂは、分離部材３０が係合部材１８から除去されて塞栓装置が動脈瘤３６内に解放された後の配置装置を図示している。図３Ｃは、手順の終了時、或いは第２のコイルをデリバリーカテーテル３５を介して同じ動脈瘤内に導入する際のプッシャー部材１６をデリバリーカテーテル３５内に引き戻した後の配置装置を図示している。
【００２６】
明らかに、様々なコイルの螺旋構造または他のタイプの塞栓装置を含め、塞栓装置の様々な変更形態や変形形態などの当業者には明白は上記した好適な実施形態の様々な変更形態が可能である。また、解放機構の材料および構造の様々な変更形態が可能である。このような変更形態は、本発明に関連する当該技術分野における通常の技術を有する当業者には明らかであり、添付の特許請求の範囲内である。
【００２７】
〔実施の態様〕
（１）血管内の所定の部位に塞栓装置を配置する際に使用するための血管閉塞塞栓装置配置システムにおいて、
細長い可撓性の配置カテーテルであって、当該配置カテーテルの内部を通る内腔、近位端部、および遠位端部を有する、配置カテーテルと、
前記配置カテーテルの前記内腔内にスライド可能に配置されている細長いプッシャー部材であって、当該プッシャー部材の内部を通る内腔、近位端部、および遠位端部を備える、プッシャー部材と、
近位端部に保持リングを有する塞栓装置と、
前記プッシャー部材の前記遠位端部に固着された係合部材であって、その係合部材の遠位端部を開口が貫通しており、前記係合部材が前記保持リングを貫通している、係合部材と、
前記プッシャー部材の前記近位端部の近位側の位置から前記プッシャー部材の前記内腔を通り、前記係合部材の前記開口を貫通している細長い分離部材であって、前記分離部材が近位側に引き戻されると、前記分離部材の前記遠位端部が前記係合部材の前記開口から引き戻されて前記塞栓装置を解放するように構成されている、細長い分離部材と、
を具備する、血管閉塞塞栓装置配置システム。
（２）実施態様（１）に記載の血管閉塞塞栓装置配置システムにおいて、
前記係合部材が、第１の脚および第２の脚を形成するためにＬ型の構造であり、前記第１の脚が前記プッシャー部材に取り付けられ、前記第２の脚が前記保持リングを貫通している、血管閉塞塞栓装置配置システム。
（３）実施態様（２）に記載の血管閉塞塞栓装置配置システムにおいて、
前記分離部材が前記開口内を貫通すると、前記塞栓装置の前記保持リングが、前記分離部材が前記開口から引き戻されるまで前記係合部材にかみ合っているように、前記開口が、前記第２の脚の前記遠位端部を貫通している、血管閉塞塞栓装置配置システム。
（４）実施態様（３）に記載の血管閉塞塞栓装置配置システムにおいて、
前記開口の中心軸が、前記保持リングの中心軸に対して実質的に直角に延びている血管閉塞塞栓装置配置システム。
（５）実施態様（４）に記載の血管閉塞塞栓装置配置システムにおいて、
前記塞栓装置が塞栓コイルの形態である、血管閉塞塞栓装置配置システム。
【００２８】
（６）実施態様（５）に記載の血管閉塞塞栓装置配置システムにおいて、
前記塞栓装置が螺旋状に巻かれた塞栓コイルの形態である、血管閉塞塞栓装置配置システム。
（７）実施態様（６）に記載の血管閉塞塞栓装置配置システムにおいて、
前記保持リングの前記中心軸が、前記螺旋状に巻かれた塞栓コイルの中心軸に対して実質的に直角に延びている、血管閉塞塞栓装置配置システム。
（８）実施態様（７）に記載の血管閉塞塞栓装置配置システムにおいて、
前記螺旋状に巻かれた塞栓コイルが複数のターンから構成されており、前記複数のターンの１つが、他のターンの中心軸に対して実質的に直角に延びて前記保持リングを形成している、血管閉塞塞栓装置配置システム。
（９）実施態様（２）に記載の血管閉塞塞栓装置配置システムにおいて、
保持クランプであって、その内部を貫通する内腔を備え、前記プッシャー部材の前記近位端部に取り付けられた、保持クランプを具備し、
前記クランプが解除されて前記分離部材が前記係合部材の前記開口から引き戻されるに先立って前記分離部材が固定位置にクランプされうるように、前記分離部材が、前記クランプの近位側の位置から前記クランプの前記内腔を貫通している、
血管閉塞塞栓装置配置システム。
（１０）血管内の所定の部位に塞栓装置を配置する際に使用するための血管閉塞塞栓装置配置システムにおいて、
細長い可撓性の配置カテーテルであって、当該配置カテーテルの内部を通る内腔、近位端部、および遠位端部を有する、配置カテーテルと、
近位端部および遠位端部を備え、前記配置カテーテルの前記内腔内にスライド可能に配置されている細長いプッシャー部材と、
近位端部に保持リングを有する塞栓装置と、
前記プッシャー部材の前記遠位端部に固着された係合部材であって、その係合部材の遠位端部を開口が貫通しており、前記係合部材が、前記塞栓装置の前記保持リングを貫通している、前記係合部材と、
前記配置カテーテルの近位側の位置から前記カテーテルの前記内腔を通り、前記係合部材の前記開口を貫通している細長い分離部材であって、前記分離部材が近位側に引き戻されると、前記分離部材の前記遠位端部が前記係合部材の前記開口から引き戻されて前記塞栓装置を解放するように構成されている、前記細長い分離部材と、
を具備する、血管閉塞塞栓装置配置システム。
【００２９】
（１１）実施態様（１０）に記載の血管閉塞塞栓装置配置システムにおいて、
前記係合部材が、第１の脚および第２の脚を形成するためにＬ型の構造であり、前記第１の脚が前記プッシャー部材に取り付けられ、前記第２の脚が前記保持リングを貫通している、血管閉塞塞栓装置配置システム。
（１２）実施態様（１１）に記載の血管閉塞塞栓装置配置システムにおいて、
前記分離部材が前記開口内を貫通すると、前記塞栓装置の前記保持リングが、前記分離部材が前記開口から引き戻されるまで前記係合部材にかみ合っているように、前記開口が、前記第２の脚の前記遠位端部を貫通している、血管閉塞塞栓装置配置システム。
（１３）実施態様（１２）に記載の血管閉塞塞栓装置配置システムにおいて、
前記開口の中心軸が、前記保持リングの中心軸に対して実質的に直角に延びている、血管閉塞塞栓装置配置システム。
（１４）実施態様（１３）に記載の血管閉塞塞栓装置配置システムにおいて、
前記塞栓装置が塞栓コイルの形態である、血管閉塞塞栓装置配置システム。
（１５）実施態様（１４）に記載の血管閉塞塞栓装置配置システムにおいて、
前記塞栓装置が螺旋状に巻かれた塞栓コイルの形態である、血管閉塞塞栓装置配置システム。
【００３０】
（１６）実施態様（１５）に記載の血管閉塞塞栓装置配置システムにおいて、
前記保持リングの前記中心軸が、前記螺旋状に巻かれた塞栓コイルの中心軸に対して実質的に直角に延びている、血管閉塞塞栓装置配置システム。
（１７）実施態様（１６）に記載の血管閉塞塞栓装置配置システムにおいて、
前記螺旋状に巻かれた塞栓コイルが複数のターンから構成されており、前記複数のターンの１つが、他のターンの中心軸に対して実質的に直角に延びて前記保持リングを形成している、血管閉塞塞栓装置配置システム。
（１８）実施態様（１０）に記載の血管閉塞塞栓装置配置システムにおいて、
内部を貫通する内腔を備え、前記プッシャー部材の前記近位端部に取り付けられた保持クランプを含み、
前記クランプが解除されて前記分離部材が前記係合部材の前記開口から引き戻されるに先立って前記分離部材が固定位置にクランプされうるように、前記分離部材が、前記クランプの近位側の位置から前記クランプの前記内腔を貫通している、血管閉塞塞栓装置配置システム。
【図面の簡単な説明】
【００３１】
【図１】本発明に従った塞栓装置配置システムの実施形態の拡大部分断面図である。
【図２Ａ】図１のコイル配置システムを詳細に例示する拡大断面図である。
【図２Ｂ】図１のコイル配置システムを詳細に例示する拡大断面図である。
【図２Ｃ】図１のコイル配置システムを詳細に例示する拡大断面図である。
【図３】塞栓装置を前進させるステップを例示する、図１および図２に示されているコイル配置システムの拡大断面図である。
【図３Ａ】塞栓装置を配置するステップを例示する、図１および図２に示されているコイル配置システムの拡大断面図である。
【図３Ｂ】塞栓装置を解放するステップを例示する、図１および図２に示されているコイル配置システムの拡大断面図である。
【図３Ｃ】分離部材を除去するステップを例示する、図１および図２に示されているコイル配置システムの拡大断面図である。
【図１】
2006334407.tif 000003
【図２Ａ】
2006334407.tif 000004
【図２Ｂ】
2006334407.tif 000005
【図２Ｃ】
2006334407.tif 000006
【図３】
2006334407.tif 000007
【図３Ａ】
2006334407.tif 000008
【図３Ｂ】
2006334407.tif 000009
【図３Ｃ】
2006334407.tif 000010
【外国語明細書】
2006334407000001.pdf